(57)【特許請求の範囲】
【請求項１】
第１の浮体と第２の浮体とによって筒体を該筒体の長手方向に沿うように前記筒体の一部を液面下に、前記筒体の一部の残部を液面上方に、位置させて前記液面に生じる波を前記筒体に衝突させて緩和させる波緩和装置であって、
前記液面下に位置する前記筒体の部位に設けられた液面下開口部と、
前記液面上方に位置する前記筒体の部位に設けられた液面上方開口部と、
前記第１の浮体に接続され、前記筒体の長手方向に対して略直交するように設けられた第１の長手形状部材と、
前記第２の浮体に接続され、前記筒体の長手方向に対して略直交するように設けられた第２の長手形状部材とを備え、
前記波緩和装置は、ダム、海の何れかに設置されたものであり、
前記第１の長手形状部材及び前記第２の長手形状部材の先端が岸に当接することにより、前記波緩和装置が岸へ近すぎないように規制する
ことを特徴とする波緩和装置。
【請求項２】
ダム、海の何れかに設置され、第１の浮体と第２の浮体とによって筒体を該筒体の長手方向に沿うように前記筒体の一部を液面下に、前記筒体の一部の残部を液面上方に、位置させて前記液面に生じる波を前記筒体に衝突させて緩和させる波の緩和方法であって、
前記液面下に位置する前記筒体の部位に設けられた液面下開口部と、
前記液面上方に位置する前記筒体の部位に設けられた液面上方開口部と、
前記第１の浮体に接続され、前記筒体の長手方向に対して略直交するように設けられた第１の長手形状部材と、
前記第２の浮体に接続され、前記筒体の長手方向に対して略直交するように設けられた第２の長手形状部材とを備え、
前記第１の長手形状部材及び前記第２の長手形状部材の先端が岸に当接することにより、前記波緩和装置が岸へ近すぎないように規制し、筒体の長手方向が岸に対して略平行になるようにして、波を緩和させる
ことを特徴とする波の緩和方法。
【請求項３】
第１の浮体と第２の浮体とによって筒体を該筒体の長手方向に沿うように前記筒体の一部を液面下に、前記筒体の一部の残部を液面上方に、位置させて前記液面に生じる波を前記筒体に衝突させて緩和させる波緩和装置であって、
前記液面下に位置する前記筒体の部位に設けられた液面下開口部と、
前記液面上方に位置する前記筒体の部位に設けられた液面上方開口部と、
を備え、
前記液面下開口部及び前記液面上方開口部に対向する前記筒体の部位は、それぞれ前記筒体の内壁面である
ことを特徴とする波緩和装置。
【請求項４】
筒体の表面が凹凸形状に形成されている
ことを特徴とする請求項３記載の波緩和装置。
【請求項５】
第１の浮体と第２の浮体とによって筒体を該筒体の長手方向に沿うように前記筒体の一部を液面下に、前記筒体の一部の残部を液面上方に、位置させて前記液面に生じる波を前記筒体に衝突させて緩和させる波緩和装置であって、
前記液面下に位置する前記筒体の部位に設けられた液面下開口部と、
前記液面上方に位置する前記筒体の部位に設けられた液面上方開口部とを備え、
前記筒体の表面が凹凸形状に形成され、
前記凹凸形状の凹及び凸の部位に波を衝突させる
ことを特徴とする波緩和装置。
【発明の詳細な説明】
【技術分野】
【０００１】
本発明は、波緩和装置及び波の緩和方法に係り、特に、波のエネルギーを減衰させて岸の浸食作用を軽減させることができる波緩和装置及び波の緩和方法に関する。
【背景技術】
【０００２】
ダム湖の場合、ダム湖の周りの法面は、ダム湖で生じるさざ波等（図１で、言えば、ダム湖Ｄのさざ波Ｚは、例えば、風Ｘ、波Ｙにより生じるものである。）により浸食されている。
この浸食を防ぐために、例えば、ダム湖の場合、洪水時と渇水時の水位は３０ｍ〜５０ｍと変動するため、この変動を考慮してダム湖の法面をコンクリートで施工しようとすれば、莫大な時間と費用がかかるという問題点が生じた。
【発明の概要】
【発明が解決しようとする課題】
【０００３】
本発明は、上記問題点を考慮してなされた波緩和装置及び波の緩和方法を提供することを目的とする。
【課題を解決するための手段】
【０００４】
請求項１記載の波緩和装置は、第１の浮体と第２の浮体とによって筒体を該筒体の長手方向に沿うように前記筒体の一部を液面下に、前記筒体の一部の残部を液面上方に、位置させて前記液面に生じる波を前記筒体に衝突させて緩和させる波緩和装置であって、前記液面下に位置する前記筒体の部位に設けられた液面下開口部と、前記液面上方に位置する前記筒体の部位に設けられた液面上方開口部と、前記第１の浮体に接続され、前記筒体の長手方向に対して略直交するように設けられた第１の長手形状部材と、前記第２の浮体に接続され、前記筒体の長手方向に対して略直交するように設けられた第２の長手形状部材とを備え、前記波緩和装置は、ダム、海の何れかに設置されたものであり、前記第１の長手形状部材及び前記第２の長手形状部材の先端が岸に当接することにより、前記波緩和装置が岸へ近すぎないように規制するものである。
【０００５】
また、請求項２記載の波の緩和方法は、ダム、海の何れかに設置され、第１の浮体と第２の浮体とによって筒体を該筒体の長手方向に沿うように前記筒体の一部を液面下に、前記筒体の一部の残部を液面上方に、位置させて前記液面に生じる波を前記筒体に衝突させて緩和させる波の緩和方法であって、前記液面下に位置する前記筒体の部位に設けられた液面下開口部と、前記液面上方に位置する前記筒体の部位に設けられた液面上方開口部と、前記第１の浮体に接続され、前記筒体の長手方向に対して略直交するように設けられた第１の長手形状部材と、前記第２の浮体に接続され、前記筒体の長手方向に対して略直交するように設けられた第２の長手形状部材とを備え、前記第１の長手形状部材及び前記第２の長手形状部材の先端が岸に当接することにより、前記波緩和装置が岸へ近すぎないように規制し、筒体の長手方向が岸に対して略平行になるようにして、波を緩和させるものである。
【０００６】
また、請求項３記載の波緩和装置は、第１の浮体と第２の浮体とによって筒体を該筒体の長手方向に沿うように前記筒体の一部を液面下に、前記筒体の一部の残部を液面上方に、位置させて前記液面に生じる波を前記筒体に衝突させて緩和させる波緩和装置であって、前記液面下に位置する前記筒体の部位に設けられた液面下開口部と、前記液面上方に位置する前記筒体の部位に設けられた液面上方開口部と、を備え、前記液面下開口部及び前記液面上方開口部に対向する前記筒体の部位は、それぞれ前記筒体の内壁面である。
【０００７】
また、請求項４記載の波緩和装置は、請求項３記載の波緩和装置において、筒体の表面が凹凸形状に形成されているものである。
【０００８】
また、請求項５記載の波緩和装置は、第１の浮体と第２の浮体とによって筒体を該筒体の長手方向に沿うように前記筒体の一部を液面下に、前記筒体の一部の残部を液面上方に、位置させて前記液面に生じる波を前記筒体に衝突させて緩和させる波緩和装置であって、前記液面下に位置する前記筒体の部位に設けられた液面下開口部と、前記液面上方に位置する前記筒体の部位に設けられた液面上方開口部とを備え、前記筒体の表面が凹凸形状に形成され、前記凹凸形状の凹及び凸の部位に波を衝突させるものである。
【発明の効果】
【０００９】
請求項１記載の波緩和装置によれば、「筒体という汎用性のある部材」を用いて第１の浮体と第２の浮体とによって筒体を該筒体の長手方向に沿うように前記筒体の一部を液面下に、前記筒体の一部の残部を液面上方に、位置させることにより、液面に生じる波を筒体に衝突させ、また、液面に生じる波の一部を液面上方開口部を介して筒体内に侵入させ、液面下開口部から排出させて、波のエネルギーを減衰させ、引いては、波が岸に到達する波のエネルギー減衰させて岸の浸食作用を軽減させることができる。
【００１０】
また、請求項２記載の波の緩和方法によれば、第１の長手形状部材、第２の長手形状部材により、波緩和装置が岸へ近すぎないように規制し、しかも、筒体の長手方向が岸に対して略平行になるようにして、波の緩和効果を効率良く発揮させることができる。
【００１１】
また、請求項５記載の波緩和装置によれば、「筒体という汎用性のある部材」を用いて第１の浮体と第２の浮体とによって筒体を該筒体の長手方向に沿うように前記筒体の一部を液面下に、前記筒体の一部の残部を液面上方に、位置させることにより、液面に生じる波を筒体に衝突させ、しかも、筒体は凹凸形状の部位を有しているため、該部位に衝突した波は、乱反射して、波のエネルギーを  減衰させ、引いては、波が岸に到達する波のエネルギー減衰させて岸の浸食作用を軽減させることができる。
【図面の簡単な説明】
【００１４】
本発明の一実施例の波緩和装置及び波の緩和方法を図面を参照して説明する。
波緩和装置１０は、例えば、ダムＤ（又は海）に設置され（図１参照）、岸の浸食作用を軽減させるもので、図２及び図３に示すように、第１の浮体１１と第２の浮体１２とによって筒体３を該筒体３の長手方向に沿うように筒体３の一部を液面Ｌ（図３及び図５参照）下に、筒体３の一部の残部を液面Ｌ（図３及び図５参照）上方に、位置させて液面Ｌ（図３及び図５参照）に生じる波を筒体３に衝突させて緩和させるものである。
【発明を実施するための形態】
【００１５】
本発明の一実施例の波緩和装置を図面を参照して説明する。
波緩和装置１０は、例えば、ダムＤ（又は海）に設置され（図１参照）、岸の浸食作用を軽減させるもので、図２及び図３に示すように、第１の浮体１１と第２の浮体１２とによって筒体３を該筒体３の長手方向に沿うように筒体３の一部を液面Ｌ（図３及び図５参照）下に、筒体３の一部の残部を液面Ｌ（図３及び図５参照）上方に、位置させて液面Ｌ（図３及び図５参照）に生じる波を筒体３に衝突させて緩和させるものである。
【００１６】
また、図３及び図４に示す２１、２２は第１の本体（例えば、枠体）、第２の本体（例えば、枠体）である。
第１の浮体１１は、例えば、第１の本体２１の裏面に第１のフロート２１ａ、筒体３の一部、第１’のフロート２１ｂを略逆Ｕ字形状の取り付け部材Ｕ１、Ｕ２、Ｕ３で接続している。
また、図２に示す４は、第１の浮体１１に接続され、筒体３の長手方向に対して略直交するように設けられた第１の長手形状部材である。
また、第２の浮体１２は、例えば、第２の本体２２の裏面に第２のフロート２２ａ、筒体３の一部、第２’のフロート２２ｂを略逆Ｕ字形状の取り付け部材Ｕ１’、Ｕ２’、Ｕ３’で接続している。
また、図２に示す５は、第２の浮体１２に接続され、筒体３の長手方向に対して略直交するように設けられた第２の長手形状部材である。
このように、第１の長手形状部材４、第２の長手形状部材５により、波緩和装置１０が岸へ近すぎないように規制し、しかも、図２に示すように、筒体３の長手方向が岸に対して略平行になるようにして、波の緩和効果を効率良く発揮させることができる。
なお、第１の浮体１１及び第２の浮体１２には、それぞれ、ダム湖Ｄの底、岸の法面等に第１、第２のアンカー（図示せず）を打ち，第１のアンカー（図示せず）と第１の浮体１１を第１のロープ（図示せず）、第２のアンカー（図示せず）と第２の浮体１２を第２のロープ（図示せず）を接続して、第１の浮体１１及び第２の浮体１２が岸から離れないようにしている。
【００１７】
また、図５に示す３ａは、液面Ｌ上方に位置する筒体３の部位に設けられた液面上方開口部で、３ｂは、液面Ｌ下に位置する筒体３の部位に設けられた液面下開口部である。    また、筒体３の表面は凹凸形状３Ｃ（図２の３Ｂは、凹凸形状３Ｃの凹を示している。）に形成されている。
従って、上述した波緩和装置１０によれば、「筒体３という汎用性のある部材」を用いて第１の浮体１１と第２の浮体１２とによって筒体３を該筒体３の長手方向に沿うように筒体３の一部を液面Ｌ下に、筒体３の一部の残部を液面Ｌ上方に、位置させることにより、液面Ｌに生じる波を筒体３に衝突させ、また、液面Ｌに生じる波の一部を液面Ｌ上方開口部３ａを介して筒体３内に侵入させ、液面下開口部３ｂから排出させて、波のエネルギーを減衰させ、引いては、波が岸に到達する波のエネルギーを減衰させて岸の浸食作用を軽減させることができる。
なお、筒体３は凹凸形状３Ｃの部位を有しているため、該部位に衝突した波は、乱反射して、波のエネルギーを減衰させ、引いては、波が岸に到達する波のエネルギーを減衰させて岸の浸食作用を軽減させることができるものである。
【００１８】
また、図２に示すように、筒体３の両端部３ｅ、３ｆが開口していると、両端部３ｅ、３ｆと筒体３の排出部位が増大する分、液面上方開口部３ａを介して筒体３内に侵入する波も多くなり、多くなった分、波のエネルギーの減衰効果を高めることができる。なお、場合により、筒体３の両端部３ｅ、３ｆを閉塞するようにしても良い。
また、筒体３は、１個の筒体で形成しても良いが、図２に示すように、筒体３は第１の筒体３Ａと第２の筒体３Ｂとを有し、第１の筒体３Ａの端面と第２の筒体３の端面３Ｂとを当接すると共に、該当接する部位の外周を継手Ｔで覆って第１の筒体３Ａと第２の筒体３Ｂと接続するようにしても良い。
このように当接する部位の外周を継手Ｔで覆って第１の筒体３Ａと第２の筒体３Ｂと接続するため、第１の筒体３Ａの端面と第２の筒体３Ｂの端面との隙間から波が侵入することを防止することができる。
【符号の説明】
【００１９】
１０    波緩和装置
３      筒体
３ａ    液面上方開口部
３ｂ    液面下開口部
１１    第１の浮体
１２    第２の浮体
Ｌ      液面
【要約】
【訣題】
本発明の目的は、波のエネルギーを減衰させて岸の浸食作用を軽減させることができる波緩和装置を提供するものである。
【解決手段】
波緩和装置１０は、第１の浮体１１と第２の浮体１２とによって筒体３を該筒体３の長手方向に沿うように筒体３の一部を液面Ｌ下に、筒体３の一部の残部を液面Ｌ上方に、位置させて液面Ｌに生じる波を筒体３に衝突させて緩和させる波緩和装置１０であって、液面Ｌ下に位置する筒体３の部位に設けられた液面下開口部３ｂと、液面Ｌ上方に位置する筒体３の部位に設けられた液面上方開口部３ａと、を備えてなるものである。
【選択図】図５【図１】
0005563172.tif 000002
【図２】
0005563172.tif 000003
【図３】
0005563172.tif 000004
【図４】
0005563172.tif 000005
【図５】
0005563172.tif 000006